(57)【要約】【課題】特定の現場内の情報交換を円滑に行うと共に、必要に応じて異なる現場間の情報交換も円滑に行うことが可能な施工情報管理システムを提供すること。【解決手段】この施工情報管理システム１０は、情報通信端末８０から送信される施工に関する情報を１次情報として取得する情報取得部１０１と、当該取得した１次情報に基づいて、当該１次情報を２次情報として提供する配信先の属性を特定するための配信属性情報を選択する属性選択部１０２と、当該選択した配信属性情報に基づいて２次情報を送信する情報通信端末８１を特定する端末特定部１０３と、当該特定した情報通信端末８１に１次情報を２次情報として送信する情報配信部１０４と、を含む。【選択図】  図１
2004246813.tif 000002
【特許請求の範囲】
【請求項１】
情報通信端末から送信される施工に関する情報を１次情報として取得する情報取得手段と、
当該取得した１次情報に基づいて、当該１次情報を２次情報として提供する配信先の属性を特定するための配信属性情報を選択する属性選択手段と、
当該選択した配信属性情報に基づいて前記２次情報を送信する情報通信端末を特定する端末特定手段と、
当該特定した情報通信端末に前記１次情報を２次情報として送信する情報配信手段と、
を含む施工情報管理システム。
【請求項２】
施工資源が特定の作業領域に入ったことを示す入場情報及び出たことを示す退場情報を、前記作業領域に設置してある入退場取得端末から取得する入退場情報取得手段と、
当該取得した入場情報及び退場情報に基づいて、資源管理情報格納手段に格納されている、前記作業領域に入っている施工資源の数量を更新する更新手段と、
前記作業領域における作業内容及び必要な施工資源を特定する作業内容特定手段と、
当該特定された作業内容及び必要な施工資源と前記資源管理情報格納手段に格納されている施工資源の数量とに基づいて、前記作業領域での作業内容と必要な施工資源と稼動している施工資源とを関連付けて表示させるための表示情報を作成する表示情報作成手段と、
当該作成した表示情報を所定の情報通信端末に出力する表示情報出力手段と、を含む施工情報管理システム。
【請求項３】
前記作業領域は複数存在し、
前記作業内容特定手段は、予め定められている工程計画に基づいて前記作業内容及び前記必要な施工資源を特定すると共に、
運用可能な施工資源と、前記作業領域それぞれにおいて必要とされる施工資源と、前記作業領域それぞれの優先順位と、に基づいて前記各作業領域において稼動する施工資源を割り当てる工程調整手段を更に備える、請求項２に記載の施工情報管理システム。
【請求項４】
情報取得手段が、情報通信端末から送信される施工に関する情報を１次情報として取得する情報取得ステップと、
当該取得した１次情報に基づいて、属性選択手段が、当該１次情報を２次情報として提供する配信先の属性を特定するための配信属性情報を選択する属性選択ステップと、
端末特定手段が、当該選択した配信属性情報に基づいて前記２次情報を送信する情報通信端末を特定する端末特定ステップと、
情報配信手段が、当該特定した情報通信端末に前記１次情報を２次情報として送信する情報配信ステップと、
を含む施工情報管理方法。
【請求項５】
入退場情報取得手段が、施工資源が特定の作業領域に入ったことを示す入場情報及び出たことを示す退場情報を、前記作業領域に設置してある入退場取得端末から取得する入退場情報取得ステップと、
当該取得した入場情報及び退場情報に基づいて、更新手段が資源管理情報格納手段に格納されている前記作業領域に入っている施工資源の数量を更新する更新ステップと、
作業内容特定手段が、前記作業領域における作業内容及び必要な施工資源を特定する作業内容特定ステップと、
当該特定された作業内容及び必要な施工資源と前記資源管理情報格納手段に格納されている施工資源の数量とに基づいて、表示情報作成手段が、前記作業領域での作業内容と必要な施工資源と稼動している施工資源とを関連付けて表示させるための表示情報を作成する表示情報作成ステップと、
表示情報出力手段が、当該作成した表示情報を所定の情報通信端末に出力する表示情報出力ステップと、
を含む施工情報管理方法。
【請求項６】
前記作業領域は複数存在し、
前記作業内容特定手段は、予め定められている工程計画に基づいて前記作業内容及び前記必要な施工資源を特定すると共に、
運用可能な施工資源と、前記作業領域それぞれにおいて必要とされる施工資源と、前記作業領域それぞれの優先順位と、に基づいて工程調整手段が前記各作業領域において稼動する施工資源を割り当てる工程調整ステップを更に備える、請求項５に記載の施工情報管理方法。
【請求項７】
コンピュータを、
情報通信端末から送信される施工に関する情報を１次情報として取得する情報取得手段と、
当該取得した１次情報に基づいて、当該１次情報を２次情報として提供する配信先の属性を特定するための配信属性情報を選択する属性選択手段と、
当該選択した配信属性情報に基づいて前記２次情報を送信する情報通信端末を特定する端末特定手段と、
当該特定した情報通信端末に前記１次情報を２次情報として送信する情報配信手段と、
して機能させるための施工情報管理プログラム。
【請求項８】
コンピュータを、
施工資源が特定の作業領域に入ったことを示す入場情報及び出たことを示す退場情報を、前記作業領域に設置してある入退場取得端末から取得する入退場情報取得手段と、
当該取得した入場情報及び退場情報に基づいて、資源管理情報格納手段に格納されている、前記作業領域に入っている施工資源の数量を更新する更新手段と、
前記作業領域における作業内容及び必要な施工資源を特定する作業内容特定手段と、
当該特定された作業内容及び必要な施工資源と前記資源管理情報格納手段に格納されている施工資源の数量とに基づいて、前記作業領域での作業内容と必要な施工資源と稼動している施工資源とを関連付けて表示させるための表示情報を作成する表示情報作成手段と、
当該作成した表示情報を所定の情報通信端末に出力する表示情報出力手段と、して機能させるための施工情報管理プログラム。
【請求項９】
前記作業領域は複数存在し、
前記作業内容特定手段は、予め定められている工程計画に基づいて前記作業内容及び前記必要な施工資源を特定すると共に、
コンピュータを、運用可能な施工資源と、前記作業領域それぞれにおいて必要とされる施工資源と、前記作業領域それぞれの優先順位と、に基づいて前記各作業領域において稼動する施工資源を割り当てる工程調整手段として更に機能させる、請求項８に記載の施工情報管理プログラム。
【発明の詳細な説明】
【０００１】
【発明の属する技術分野】
本発明は、施工情報管理システム、施工情報管理方法、及び施工情報管理プログラムに関するものである。
【０００２】
【従来の技術】
高層ビルといった大規模建築物を建造する場合には、その全工程に渡って様々な役割を果たす機能体としての施工業者や資材業者が多数参加することとなる。これら複数の機能体が有機的に協働することで大規模建築物は効率的に建造されることとなる。ところで、各機能体同士の連携は、施工管理業者や各機能体の管理者が相互に連絡を取り合うことで実現されるが、この相互連絡を管理者の能力によらずに実現するシステムは存在していない。なお、本発明者らはこの技術内容を実現する手法が記載された文献を調査したが、特に関連性のある文献を見いだすことができなかった。
【０００３】
【発明が解決しようとする課題】
従来のように各管理者の能力に負って各機能体が相互に緊密に連絡を取り合うことは不確定要素を多く含むため、必ずしも効率的でない。更に、大規模建築物を建造する現場が複数ある場合には、その現場同士で連絡を取り合って効率的な人員配置や資材配置を行うことは容易ではない。
【０００４】
そこで本発明では、特定の現場内の情報交換を円滑に行うと共に、必要に応じて異なる現場間の情報交換も円滑に行うことが可能な、施工情報管理システム、施工情報管理方法、及び施工情報管理プログラムを提供することを課題とする。
【０００５】
【課題を解決するための手段】
本発明者らは前述の課題を解決すべく様々な検討を行い、情報の共有化を行う場合にインターネットによりネットワーク化されたコンピュータシステムを用いることを試みた。しかしながら、建築施工現場においては多くの情報があり、これらを何らの手当てなしに共有化するだけでは効率化の妨げとなる場合もあることを本発明者らは見出した。また、一律に情報の配信先を制限することも現実にそぐわない場合があることも見出した。本発明はこれらの知見に基づいてなされたものである。
【０００６】
本発明の施工情報管理システムは、情報通信端末から送信される施工に関する情報を１次情報として取得する情報取得手段と、当該取得した１次情報に基づいて、当該１次情報を２次情報として提供する配信先の属性を特定するための配信属性情報を選択する属性選択手段と、当該選択した配信属性情報に基づいて２次情報を送信する情報通信端末を特定する端末特定手段と、当該特定した情報通信端末に１次情報を２次情報として送信する情報配信手段と、を含む。
【０００７】
本発明の施工情報管理方法は、情報取得手段が、情報通信端末から送信される施工に関する情報を１次情報として取得する情報取得ステップと、当該取得した１次情報に基づいて、属性選択手段が、当該１次情報を２次情報として提供する配信先の属性を特定するための配信属性情報を選択する属性選択ステップと、端末特定手段が、当該選択した配信属性情報に基づいて２次情報を送信する情報通信端末を特定する端末特定ステップと、情報配信手段が、当該特定した情報通信端末に１次情報を２次情報として送信する情報配信ステップと、を含む。
【０００８】
本発明の施工情報管理プログラムは、コンピュータを、情報通信端末から送信される施工に関する情報を１次情報として取得する情報取得手段と、当該取得した１次情報に基づいて、当該１次情報を２次情報として提供する配信先の属性を特定するための配信属性情報を選択する属性選択手段と、当該選択した配信属性情報に基づいて２次情報を送信する情報通信端末を特定する端末特定手段と、当該特定した情報通信端末に１次情報を２次情報として送信する情報配信手段と、して機能させる。
【０００９】
本発明の施工情報管理システムおよび施工情報管理方法によれば、取得した１次情報に基づいて、１次情報を２次情報として提供する配信先の属性を特定するための配信属性情報を選択するので、情報の内容に応じた配信先を選択できる。更に、その配信先属性情報に基づいて２次情報を送信する情報通信端末を特定するので、的確に情報を配信できる。例えば、配信属性情報として複数の職位にまたがるものを選択すれば、組織の枠を越えて特定の現場内での情報交換を円滑に実現できる。また例えば、配信属性情報として複数の現場にまたがるものを選択すれば、複数の現場相互において情報交換を円滑に実現できる。また、コンピュータを用いて本発明の施工情報管理プログラムを実行しても同様である。
【００１０】
本発明の施工情報管理システムは、施工資源が特定の作業領域に入ったことを示す入場情報及び出たことを示す退場情報を、作業領域に設置してある入退場取得端末から取得する入退場情報取得手段と、当該取得した入場情報及び退場情報に基づいて、資源管理情報格納手段に格納されている、作業領域に入っている施工資源の数量を更新する更新手段と、作業領域における作業内容及び必要な施工資源を特定する作業内容特定手段と、当該特定された作業内容及び必要な施工資源と資源管理情報格納手段に格納されている施工資源の数量とに基づいて、作業領域での作業内容と必要な施工資源と稼動している施工資源とを関連付けて表示させるための表示情報を作成する表示情報作成手段と、当該作成した表示情報を所定の情報通信端末に出力する表示情報出力手段と、を含む。
【００１１】
本発明の施工情報管理方法は、入退場情報取得手段が、施工資源が特定の作業領域に入ったことを示す入場情報及び出たことを示す退場情報を、作業領域に設置してある入退場取得端末から取得する入退場情報取得ステップと、当該取得した入場情報及び退場情報に基づいて、更新手段が資源管理情報格納手段に格納されている作業領域に入っている施工資源の数量を更新する更新ステップと、作業内容特定手段が、作業領域における作業内容及び必要な施工資源を特定する作業内容特定ステップと、当該特定された作業内容及び必要な施工資源と資源管理情報格納手段に格納されている施工資源の数量とに基づいて、表示情報作成手段が、作業領域での作業内容と必要な施工資源と稼動している施工資源とを関連付けて表示させるための表示情報を作成する表示情報作成ステップと、表示情報出力手段が、当該作成した表示情報を所定の情報通信端末に出力する表示情報出力ステップと、を含む。
【００１２】
本発明の施工情報管理プログラムは、コンピュータを、施工資源が特定の作業領域に入ったことを示す入場情報及び出たことを示す退場情報を、作業領域に設置してある入退場取得端末から取得する入退場情報取得手段と、当該取得した入場情報及び退場情報に基づいて、資源管理情報格納手段に格納されている、作業領域に入っている施工資源の数量を更新する更新手段と、作業領域における作業内容及び必要な施工資源を特定する作業内容特定手段と、当該特定された作業内容及び必要な施工資源と資源管理情報格納手段に格納されている施工資源の数量とに基づいて、作業領域での作業内容と必要な施工資源と稼動している施工資源とを関連付けて表示させるための表示情報を作成する表示情報作成手段と、当該作成した表示情報を所定の情報通信端末に出力する表示情報出力手段と、して機能させる。
【００１３】
本発明の施工情報管理システムおよび施工情報管理方法によれば、作業内容及び必要な施工資源と資源管理情報格納手段に格納されている施工資源の数量とに基づいて、作業領域での作業内容と必要な施工資源と稼動している施工資源とを関連付けて表示させるための表示情報を作成して所定の情報通信端末に出力するので、その情報通信端末では作業内容と必要な施工資源と稼動している施工資源とが関連付けて確認できる。例えば、同一現場内の異なる作業領域での作業内容と必要な施工資源と稼動している施工資源とを表示させれば、組織の枠を越えて特定の現場内での情報交換を円滑に実現できる。また例えば、異なる現場における作業領域での作業内容と必要な施工資源と稼動している施工資源とを表示させれば、複数の現場相互において情報交換を円滑に実現できる。また、コンピュータを用いて本発明の施工情報管理プログラムを実行しても同様である。
【００１４】
また本発明の施工情報管理システムにおいては、作業領域は複数存在し、作業内容特定手段は、予め定められている工程計画に基づいて作業内容及び必要な施工資源を特定すると共に、運用可能な施工資源と、作業領域それぞれにおいて必要とされる施工資源と、作業領域それぞれの優先順位と、に基づいて各作業領域において稼動する施工資源を割り当てる工程調整手段を更に備えることも好ましい。また本発明の施工情報管理方法においては、作業領域は複数存在し、作業内容特定手段は、予め定められている工程計画に基づいて作業内容及び必要な施工資源を特定すると共に、運用可能な施工資源と、作業領域それぞれにおいて必要とされる施工資源と、作業領域それぞれの優先順位と、に基づいて工程調整手段が各作業領域において稼動する施工資源を割り当てる工程調整ステップを更に備えることも好ましい。また本発明の施工資源管理プログラムにおいては、作業領域は複数存在し、作業内容特定手段は、予め定められている工程計画に基づいて作業内容及び必要な施工資源を特定すると共に、コンピュータを、運用可能な施工資源と、作業領域それぞれにおいて必要とされる施工資源と、作業領域それぞれの優先順位と、に基づいて各作業領域において稼動する施工資源を割り当てる工程調整手段として更に機能させる。予め定められている工程計画に基づいて作業内容及び必要な施工資源を特定するので、必要な施工資源を作業内容に応じて定めることができる。また、運用可能な施工資源と必要とされる施工資源と優先順位とに基づいて施工資源を割り当てるので、各作業領域の実情に応じた施工資源の分配が可能となる。
【００１５】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１６】
（第一実施形態）
本発明の第一実施形態である施工情報管理システムについて図１を用いて説明する。図１は施工情報管理システム１０を説明するための図である。施工情報管理システム１０は、ネットワーク７０と接続されており、情報通信端末８０〜８２とそれぞれ情報通信可能なように構成されている。
【００１７】
情報通信端末８０〜８２は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。情報通信端末８０〜８２は、ネットワーク７０と接続されており、施工情報管理システム１０と情報通信可能なように構成されている。例えば、施工現場において持ち歩いて情報を送受信するような場面で使用する場合には、ＰＤＡ（Ｐｅｒｓｏｎａｌ  Ｄｉｇｉｔａｌ  Ａｓｓｉｓｔａｎｃｅ）といった携帯型の情報通信端末が用いられる。また、事業所において情報を管理するような場面で使用する場合にはパーソナルコンピュータといった情報通信端末が用いられる。
【００１８】
施工情報管理システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。
【００１９】
施工情報管理システム１０は、機能的な構成要素として、情報取得部（情報取得手段）１０１と、属性選択部（属性選択手段）１０２と、端末特定部（端末特定手段）１０３と、情報配信部（情報配信手段）１０４と、定義部１０５と、クラス情報格納部１１０と、属性情報格納部１１１と、定義情報格納部１１２とを含む。引き続いて、各構成要素について詳細に説明する。
【００２０】
情報取得部１０１は、情報通信端末８０〜８２から送信される施工に関する情報を１次情報として取得する部分である。より具体的には、情報通信端末８０〜８２には予め入力フォームが送信されている。情報通信端末８０〜８２を使用する作業者や管理者は、その入力フォームに所定の情報を入力して施工情報管理システム１０に送信する。この入力フォームには、例えば、「事案の発生日時」「現場名」「工事区名」「作業名」「事案の内容」「現場主任名」「現場の現状と対策の内容」「作業主任名」「作業の現状と対策の内容」「設計者への問い合わせ内容」「設計者の問い合わせによる状況の変化」「資材管理への対策」「資材管理への対策によるコスト変化」「建設機器への対策」「建設機器への対策によるコスト変化」「人的管理への対策」「人的管理への対策によるコスト変化」「施主担当への報告」「施主担当への報告による状況の変化」「関係官庁への報告」「関係官庁への報告による状況の変化」といった情報が入力されて送信される。情報取得部１０１は、この送信されてくる情報を受信して属性選択部１０２に出力する。
【００２１】
属性選択部１０２は、情報取得部１０１が取得した１次情報に基づいて、その１次情報を２次情報として提供する配信先の属性を特定するための配信属性情報を選択する部分である。より具体的には、１次情報に含まれる特定の語句に基づいて、属性情報格納部１１１に格納されている語句を検索し、その検索の結果対応する情報配信先を配信属性情報として選択して端末特定部１０３に出力する。属性情報格納部１１１に格納されている情報の例を図２に示す。図２の例に拠れば、語句が「遅延」であれば情報配信先として「ＸＸＸＸ７１ＸＸ２０ＸＸＸＸ」が選択される。この情報配信先を示す情報は、４桁の現場コードと、２桁の組織ＩＤと、２桁の業者登録ＩＤと、２桁の職域ＩＤと、４桁の個人ＩＤとから構成されている。また「Ｘ」はいわゆるワイルドカード情報を示している。従って「ＸＸＸＸ７１ＸＸ２０ＸＸＸＸ」であれば、組織ＩＤが「７１」職域ＩＤが「２０」である属性の情報配信先を全て特定していることとなる。尚、これらの情報の詳細については後述する。
【００２２】
端末特定部１０３は、属性選択部１０２が選択した配信属性情報に基づいて２次情報を送信する情報通信端末を特定する部分である。より具体的には、属性選択部１０２が出力する配信属性情報と、定義情報格納部１１２に格納されている情報とに基づいて情報配信先の情報通信端末（情報通信端末８０〜８２のいずれか）を特定して情報配信部１０４に出力する。定義情報格納部１１２に格納されている情報の例を図３に示す。図３の例に拠れば、クラスＩＤが「Ａ００４７１ＳＳ２０ＰＰＰＰ」であれば、そのクラスＩＤに対応する連絡先は情報通信端末８１であることを示している。
【００２３】
定義情報格納部１１２に格納されているクラスＩＤは、クラス情報格納部１１０に格納されている情報に基づいて定義部１０５が作成して格納するものである。クラス情報格納部１１０に格納されている情報の例を図４（ａ）〜図４（ｅ）に示す。図４（ａ）は、現場名と現場コードとが関連付けられて格納されていることを示している。図４（ｂ）は、組織名と組織ＩＤとが関連付けられて格納されていることを示している。図４（ｃ）は、会社名と業者登録ＩＤとが関連付けられて格納されていることを示している。図４（ｄ）は、職域名と職域ＩＤとが関連付けられて格納されていることを示している。図４（ｅ）は、個人名と個人ＩＤとが関連付けられて格納されていることを示している。定義部１０５は、図４（ａ）〜図４（ｅ）に格納されている情報に基づいてクラスＩＤを作成する。その作成にあたっては、外部からの指示情報に基づいても、予め設定されている条件に基づいてもよい。クラスＩＤは、４桁の現場コードと、２桁の組織ＩＤと、２桁の業者登録ＩＤと、２桁の職域ＩＤと、４桁の個人ＩＤとから構成されている。従って、クラスＩＤが「Ａ００４７１ＳＳ２０ＰＰＰＰ」であれば、現場コードが「Ａ００４」、組織ＩＤが「７１」、業者登録ＩＤが「ＳＳ」、職域ＩＤが「２０」、個人ＩＤが「ＰＰＰＰ」であることを示しているから、全体としては「赤坂４丁目の現場の建設協力会社であるＳＳ建設会社の作業主任Ａさん」であることを示している。
【００２４】
情報配信部１０４は、端末特定部１０３が特定した情報通信端末に、情報取得部１０１が取得した１次情報を２次情報として送信する部分である。例えば、現場の作業者が携帯している情報通信端末８０から所定の情報が送信され、その情報の内容に基づいて属性選択部１０２が選択した属性が「ＸＸＸＸ７１ＸＸ２０ＸＸＸＸ」であれば、端末特定部１０３が情報通信端末８１を特定することとなるので、情報配信部１０４は情報通信端末８１に所定の情報を送信する。
【００２５】
引き続いて、施工情報管理システム１０を用いて施工情報の配信を行う方法について、図５に示すフローチャートを用いて説明する。情報通信端末８０〜８１が送信した情報はネットワーク７０を介して施工情報管理システム１０に送信され、施工情報管理システム１０の情報取得部１０１が１次情報として受信する（ステップＳ０１）。情報取得部１０１は、その受信した情報を属性選択部１０２に出力する。
【００２６】
属性選択部１０２は、情報取得部１０１が取得した１次情報に基づいて、その１次情報を２次情報として提供する配信先の属性を特定するための配信属性情報を選択する（ステップＳ０２）。属性選択部１０２は、その選択した配信属性情報を端末特定部１０３に出力する。
【００２７】
端末特定部１０３は、属性選択部１０２が選択した配信属性情報に基づいて２次情報を送信する情報通信端末を特定する（ステップＳ０３）。端末特定部１０３は、その特定した情報通信端末に関する情報（例えば、その情報通信端末に割り当てられているメールアドレス）を情報配信部１０４に出力する。
【００２８】
情報配信部１０４は、端末特定部１０３が特定した情報通信端末に、情報取得部１０１が取得した１次情報を２次情報として送信する（ステップＳ０４）。
【００２９】
次にコンピュータを、本実施形態の施工情報管理システム１０として機能させるための施工情報管理プログラム９２及びそれが記録されているコンピュータ読取可能な記録媒体９について説明する。図６は、施工情報管理プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３０】
記録媒体９は、プログラム領域９１とデータ領域９３とから構成されている。データ領域９３には、クラス情報データベース９３１と、属性情報データベース９３２と、定義情報データベース９３３とが格納されている。クラス情報データベース９３１は、図１において説明したクラス情報格納部１１０と、属性情報データベース９３２は、図１において説明した属性情報格納部１１１と、定義情報データベース９３３は、図１において説明した定義情報格納部１１２と、それぞれ同等の情報が格納されている。
【００３１】
プログラム領域９１には、施工情報管理プログラム９２が記録されている。施工情報管理プログラム９２は、処理を統括するメインモジュール９２１と、情報取得モジュール９２２と、属性選択モジュール９２３と、端末特定モジュール９２４と、情報配信モジュール９２５と、定義モジュール９２６とを備える。ここで、情報取得モジュール９２２、属性選択モジュール９２３、端末特定モジュール９２４、情報配信モジュール９２５、定義モジュール９２６のそれぞれを動作させることによって実現する機能は、上記施工情報管理システム１０の情報取得部１０１、属性選択部１０２、端末特定部１０３、情報配信部１０４、定義部１０５のそれぞれの機能と同様である。
【００３２】
本実施形態においては、情報取得部１０１が取得した１次情報に基づいて、属性選択部１０２が、その１次情報を２次情報として提供する配信先の属性を特定するための配信属性情報を選択するので、情報の内容に応じた配信先を選択できる。更に、端末特定部１０３が、その配信先属性情報に基づいて２次情報を送信する情報通信端末を特定するので、的確に情報を配信できる。例えば、配信属性情報として複数の職位にまたがるものを選択すれば、組織の枠を越えて特定の現場内での情報交換を円滑に実現できる。また例えば、配信属性情報として複数の現場にまたがるものを選択すれば、複数の現場相互において情報交換を円滑に実現できる。
【００３３】
尚、本実施形態においては、属性選択部１０２は特定の語句の存在によって属性を判断しているけれども、属性の判定方法はこれに限られるものではない。例えば、（１）フォームの使用する記述ボックスの重み（一般、詳細、非公開）によって入力項目の制限を行って属性の判定に反映させる。（２）特定の語句が現れたら非公開とする。といった判定方法も採用可能である。
【００３４】
（第二実施形態）
本発明の第二実施形態である施工情報管理システムについて図７を用いて説明する。図７は施工情報管理システム２０を説明するための図である。施工情報管理システム２０は、ネットワーク７０と接続されており、情報通信端末８０及びＩＤ取得端末（入退場取得端末）８５〜８６とそれぞれ情報通信可能なように構成されている。
【００３５】
情報通信端末８０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステムとして構成されている。情報通信端末８０は、ネットワーク７０と接続されており、施工情報管理システム２０と情報通信可能なように構成されている。
【００３６】
ＩＤ取得端末８５〜８６は、それぞれ特定の現場のエリアａ８７、エリアｂ８８の入り口近傍に設置されている。このエリアａ及びエリアｂは、特定の現場における作業域を示している。ＩＤ取得端末８５〜８６は、物理的には、ＣＰＵ（中央処理装置）、メモリ、ＲＦＩＤタグ（無線方式によるＩＤ札）からの信号を受信する装置、通信装置などを備えたコンピュータシステムとして構成されている。ＩＤ取得端末８５〜８６は、それぞれが設置されたエリアに作業員（施工資源）が入退場する際に、その作業員が携帯しているＩＤカードから作業員のＩＤを取得して施工情報管理システム２０に送信する機能を果たす。
【００３７】
施工情報管理システム２０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。
【００３８】
施工情報管理システム２０は、機能的な構成要素として、入退場情報取得部（入退場情報取得手段）２０１と、管理情報更新部（更新手段）２０２と、作業内容特定部（作業内容特定手段）２０３と、表示情報作成部（表示情報作成手段）２０４と、表示情報出力部（表示情報出力手段）２０５と、進捗管理部２０６と、工程調整部（工程調整手段）２０７と、工程定義情報格納部２１０と、資源管理情報格納部（資源管理情報格納手段）２１１と、工程管理情報格納部２１２とを含む。引き続いて、各構成要素について詳細に説明する。
【００３９】
入退場情報取得部２０１は、作業員が特定のエリア（作業領域）に入場したことを示す入場情報及び退場したことを示す退場情報を、そのエリアに設置してあるＩＤ取得端末から取得する部分である。より具体的には、例えばエリアａ８７に設置してあるＩＤ取得端末８５から、特定の作業員が入場したことを示す情報を受信し、その受信した情報を管理情報更新部２０２に出力する。
【００４０】
管理情報更新部２０２は、入退場情報取得部２０１が取得した入場情報及び退場情報に基づいて、資源管理情報格納部２１１に格納されているエリアごとの作業員の数を更新する部分である。より具体的には、資源管理情報格納部２１１には図８に示すように、「現場コード」と「エリアコード」と「作業人員」とが関連付けられて格納されている。つまり、現場コード「Ａ００４」の「エリアａ」から「一人入場」の旨の情報を取得すると、管理情報更新部２０２は対応する作業人員の数を一つ増加させる。逆に「一人退場」の旨の情報を取得すると、管理情報更新部２０２は対応する作業人員の数を一つ減ずる。尚、本実施形態の場合には、資源管理情報格納部に格納されている資源管理情報としては作業人員に関する情報を例にとって説明しているが、資源管理情報としては重機や建設資材といった施工に用いられる施工資源に関する情報全般が含まれる。従って、本実施形態の場合における「施工資源」又は「資源」とは、「人的資源」「物的資源」を含む。
【００４１】
作業内容特定部２０３は、工程管理情報格納部２１２に格納されている情報に基づいて、特定のエリアにおける作業内容及び必要人員を特定する部分である。より具体的には、工程管理情報格納部２１２には図９に示すような情報が格納されている。すなわち、「現場コード」「エリアコード」「優先順位」に関連付けて「工程ＩＤ」「作業開始日」「作業終了日」「必要人員」「割り当て人員」が格納されている。従って、作業内容特定部２０３は、「現場コード」及び「エリアコード」に基づいて、「工程ＩＤ」及び「必要人員」を特定して表示情報作成部２０４に出力する。例えば、現場コードが「Ａ００４」でエリアコードが「ａ」であれば、工程ＩＤが「０４０４」の作業を行っており、必要人員が「２８名」であることを示している。更に作業内容特定部２０３は、「現場コード」「エリアコード」「優先順位」と「工程ＩＤ」「必要人員」とを工程調整部２０７に出力する。
【００４２】
工程管理情報格納部２１２に格納されている情報は、進捗管理部２０６が管理更新している。進捗管理部２０６は、工程定義情報格納部２１０に格納されている情報と所定の入力情報とに基づいて、工程管理情報格納部２１２に格納されている情報を管理更新する。工程定義情報格納部２１０には、「設計図書」「準備期間」「地業・基礎工事」「機材」「資材」「構造体工事」「仕上工事」「内装工事」といった大枠の工事区分に中区分及び小区分の工事区分がＷＢＳ構造（Ｗｏｒｋ  Ｂｒｅａｋｄｏｗｎ  Ｓｔｒｕｃｔｕｒｅ）構造により体系的に格納されており、各区分には工程ＩＤが付されている。工程定義情報格納部２１０に格納されている情報の内、「仕上工事」の部分の例を図１０に示す。図１０の例に拠れば、「仕上工事」は「ＰＣ工事」「コンクリート・ブロック工事」「れんが工事」「防水工事」「吹付け工事」「床タイル工事」「木工事」「建具工事」「左官工事」「塗装工事」に区分されている。
【００４３】
表示情報作成部２０４は、作業内容特定部２０３が特定した作業内容及び必要人員と、資源管理情報格納部２１１に格納されている作業員の数とに基づいて、エリアでの作業内容と必要人員と作業人員とを関連して表示させるための表示情報を作成する部分である。例えば図８〜９の例に拠れば、現場コード「Ａ００４」の「エリアａ」では、工程ＩＤ「０４０４」の作業が行われており、必要人員は２８名であるが実際の作業人員は２６名であることとなっているので、表示情報作成部２０４はそれらを関連付けて工程に調整が必要であることを表示可能なように表示情報を作成する。表示情報作成部２０４は、エリアでの作業内容と割り当て人員と作業人員とを関連して表示させるための表示情報を作成してもよい。表示情報作成部２０４が作成した表示情報は表示情報出力部２０５に出力される
【００４４】
表示情報出力部２０５は、表示情報作成部２０４が作成した表示情報を所定の情報通信端末に出力する部分である。例えば、情報通信端末８０から表示情報の要求があれば、情報通信端末８０に表示情報を送信する。情報通信端末８０において表示する一例を図１１に示す。図１１の例に拠れば、工事内容（工程ＩＤ）に対応させて各現場ごとの必要人員と作業人員とが表示されている。例えば、赤坂４丁目の現場では「ＰＣ工事」「コンクリート・ブロック」が完了しており、「防水工事」「吹付け工事」が進行中であることを示している。赤坂４丁目の「防水工事」は「Ｒ２８」であるから必要人員が２８名であることを示し、「Ｐ２６」であるから作業人員が２６名であることを示している。尚、赤坂４丁目の「床タイル工事」は「Ｒ２８」とのみ表示されているので、必要人員が２８名であるが実際には工事に取り掛かっていないことを示している。情報通信端末８０において表示する場合には、計画通り進行中の部分を青色で、調整を要する部分を黄色で、問題が発生している部分を赤色でといったように状況に応じて色分けするか、別欄を設け「要調整」「問題発生」「５日遅れ」といったように表示してもよい。
【００４５】
工程調整部２０７は、運用可能な作業人員と、エリアそれぞれにおける必要人員と、エリアごとの優先順位と、に基づいて各エリアにおいて稼動する人員を割り当てる部分である。より具体的には、工程調整部２０７は作業内容特定部２０３から出力されるエリアごとの優先順位及び必要人員と、所定の手法により取得される運用可能な作業人員とに基づいて、各エリアにおいて稼動する人員を割り当てて、人員が不足する場合には優先度の低い作業の着手を遅らせるか遅延させるための情報を表示情報作成部２０４に出力すると共に、工程管理情報格納部２１１の「作業開始日」「作業終了日」「割り当て人員」を更新する。
【００４６】
引き続いて、施工情報管理システム２０を用いて施工情報の配信を行う方法について、図１２に示すフローチャートを用いて説明する。ＩＤ取得端末８５〜８６が取得した作業員の入退場情報はネットワーク７０を介して施工情報管理システム２０に送信され、施工情報管理システム２０の入退場情報取得部２０１が受信する（ステップＳ１１）。入退場情報取得部２０１は、その受信した情報を管理情報更新部２０２に出力する。
【００４７】
管理情報更新部２０２は、入退場情報取得部２０１が取得した入場情報及び退場情報に基づいて、資源管理情報格納部２１１に格納されているエリアごとの作業員の数を更新する（ステップＳ１２）。
【００４８】
作業内容特定部２０３は、工程管理情報格納部２１２に格納されている情報に基づいて、特定のエリアにおける作業内容及び必要人員を特定する（ステップＳ１３）。作業内容特定部２０３は、その特定した作業内容及び必要人員を表示情報作成部２０４に出力する。
【００４９】
表示情報作成部２０４は、作業内容特定部２０３が特定した作業内容及び必要人員と、資源管理情報格納部２１１に格納されている作業員の数とに基づいて、エリアでの作業内容と必要人員と作業人員とを関連して表示させるための表示情報を作成する（ステップＳ１４）。表示情報作成部２０４は、作成した表示情報を表示情報出力部２０５に出力する。表示情報出力部２０５は、表示情報作成部２０４が作成した表示情報を所定の情報通信端末に出力する（ステップＳ１５）。ステップＳ１１〜Ｓ１５のそれぞれのステップ間においては、工程調整部２０７が、運用可能な作業人員と、エリアそれぞれにおける必要人員と、エリアごとの優先順位と、に基づいて各エリアにおいて稼動する人員を割り当てるステップを設けてもよい。
【００５０】
次にコンピュータを、本実施形態の施工情報管理システム２０として機能させるための施工情報管理プログラム６２及びそれが記録されているコンピュータ読取可能な記録媒体６について説明する。図１３は、施工情報管理プログラム６２が記録されている記録媒体６の構成を示した図である。記録媒体６としては、例えば、磁気ディスク、光ディスク、ＣＤ−ＲＯＭ、コンピュータに内蔵されたメモリなどが該当する。
【００５１】
記録媒体６は、プログラム領域６１とデータ領域６３とから構成されている。データ領域６３には、工程定義情報データベース６３１と、人員管理情報データベース６３２と、工程管理情報データベース６３３とが格納されている。工程定義情報データベース６３１は、図７において説明した工程定義情報格納部２１０と、資源管理情報データベース６３２は、図７において説明した資源管理情報格納部２１１と、工程管理情報データベース６３３は、図７において説明した工程管理情報格納部２１２と、それぞれ同等の情報が格納されている。
【００５２】
プログラム領域６１には、施工情報管理プログラム６２が記録されている。施工情報管理プログラム６２は、処理を統括するメインモジュール６２１と、入退場情報取得モジュール６２２と、管理情報更新モジュール６２３と、作業内容特定モジュール６２４と、表示情報作成モジュール６２５と、表示情報出力モジュール６２６と、進捗管理モジュール６２７とを備える。ここで、入退場情報取得モジュール６２２、管理情報更新モジュール６２３、作業内容特定モジュール６２４、表示情報作成モジュール６２５、表示情報出力モジュール６２６、進捗管理モジュール６２７のそれぞれを動作させることによって実現する機能は、上記施工情報管理システム２０の入退場情報取得部２０１、管理情報更新部２０２、作業内容特定部２０３、表示情報作成部２０４、表示情報出力部２０５、進捗管理部２０６のそれぞれの機能と同様である。
【００５３】
本実施形態においては、作業内容特定部２０３が特定した作業内容及び必要人員と資源管理情報格納部２１１に格納されている作業員の数とに基づいて、表示情報作成部２０４が作業領域での作業内容と必要人員と作業人員とを関連付けて表示させるための表示情報を作成し、表示情報出力部２０５が所定の情報通信端末に出力するので、その情報通信端末では作業内容と必要人員と作業人員とが関連付けて確認できる。例えば、同一現場内の異なる作業領域（エリアａ８７とエリアｂ８８）での作業内容と必要人員と作業人員とを表示させれば、組織の枠を越えて特定の現場内での情報交換を円滑に実現できる。また例えば、異なる現場における作業領域での作業内容と必要人員と作業人員とを表示させれば、複数の現場相互において情報交換を円滑に実現できる。
【００５４】
【発明の効果】
本発明によれば、取得した１次情報に基づいて、１次情報を２次情報として提供する配信先の属性を特定するための配信属性情報を選択するので、情報の内容に応じた配信先を選択できる。更に、その配信先属性情報に基づいて２次情報を送信する情報通信端末を特定するので、的確に情報を配信できる。例えば、配信属性情報として複数の職位にまたがるものを選択すれば、組織の枠を越えて特定の現場内での情報交換を円滑に実現できる。また例えば、配信属性情報として複数の現場にまたがるものを選択すれば、複数の現場相互において情報交換を円滑に実現できる。
【００５５】
また本発明によれば、作業内容及び必要な施工資源と資源管理情報格納手段に格納されている施工資源の数量とに基づいて、作業領域での作業内容と必要な施工資源と稼動している施工資源とを関連付けて表示させるための表示情報を作成して所定の情報通信端末に出力するので、その情報通信端末では作業内容と必要な施工資源と稼動している施工資源とが関連付けて確認できる。例えば、同一現場内の異なる作業領域での作業内容と必要な施工資源と稼動している施工資源とを表示させれば、組織の枠を越えて特定の現場内での情報交換（資源の有効利用を目的とした情報交換）を円滑に実現できる。また例えば、異なる現場における作業領域での作業内容と必要な施工資源と稼動している施工資源とを表示させれば、複数の現場相互において情報交換を円滑に実現できる。
【００５６】
また本発明によれば、予め定められている工程計画に基づいて作業内容及び必要な施工資源を特定するので、必要な施工資源を作業内容に応じて定めることができる。また、運用可能な施工資源と必要とされる施工資源と優先順位とに基づいて施工資源を割り当てるので、各作業領域の実情に応じた施工資源の分配が可能となる。従って本発明の目的とする、特定の現場内の情報交換を円滑に行うと共に、必要に応じて異なる現場間の情報交換も円滑に行うことが可能な、施工情報管理システム、施工情報管理方法、及び施工情報管理プログラムを提供することができた。
【図面の簡単な説明】
【図１】本発明の第一実施形態である施工情報管理システムを説明するための図である。
【図２】図１の属性情報格納部に格納されている情報の例を示した図である。
【図３】図１の定義情報格納部に格納されている情報の例を示した図である。
【図４】図１のクラス情報格納部に格納されている情報の例を示した図である。
【図５】本発明の第一実施形態である施工情報管理システムを用いて施工情報情報を管理する方法を示したフローチャートである。
【図６】本発明の第一実施形態である施工情報管理プログラムを説明するための図である。
【図７】本発明の第二実施形態である施工情報管理システムを説明するための図である。
【図８】図７の資源情報格納部に格納されている情報の例を示した図である。
【図９】図７の工程管理情報格納部に格納されている情報の例を示した図である。
【図１０】図７の工程定義情報格納部に格納されている情報の例を示した図である。
【図１１】情報通信端末において表示される情報の例を示した図である。
【図１２】本発明の第二実施形態である施工情報管理システムを用いて施工情報情報を管理する方法を示したフローチャートである。
【図１３】本発明の第二実施形態である施工情報管理プログラムを説明するための図である。
【符号の説明】
１０…施工情報管理システム、１０１…情報取得部、１０２…属性選択部、１０３…端末特定部、１０４…情報配信部、１０５…定義部、１１０…クラス情報格納部、１１１…属性情報格納部、１１２…定義情報格納部、８０〜８２…情報通信端末、７０…ネットワーク。
【図１】
2004246813.tif 000003
【図２】
2004246813.tif 000004
【図３】
2004246813.tif 000005
【図４】
2004246813.tif 000006
【図５】
2004246813.tif 000007
【図６】
2004246813.tif 000008
【図７】
2004246813.tif 000009
【図８】
2004246813.tif 000010
【図９】
2004246813.tif 000011
【図１０】
2004246813.tif 000012
【図１１】
2004246813.tif 000013
【図１２】
2004246813.tif 000014
【図１３】
2004246813.tif 000015